(57)【要約】【課題】樹木を引き倒す伐採作業時などのように、部材間の間隔を狭めるような牽引作業を容易に小さな力で行い得る軽量で簡素な構造の牽引用工具や牽引装置を提供すること。【解決手段】牽引対象の樹木Ｔに一端側を固定したロープ２０を巻き掛ける移動滑車１１と、該移動滑車を回転自在に保持する軸部材１２と、該軸部材の両端部にそれぞれ固設されて同一方向に延在する一対の連結棒部材１３、１５と、を備えており、一方の連結棒部材の他端側には、ロープの途中を差込可能な差込穴１４ａの開口する楕円形部１４を有する一方、他方の連結棒部材の他端側には、その差込穴に差し込んだロープを巻き掛ける巻掛部を有する牽引用工具１０を備える。この牽引用工具およびロープと、利用する樹木Ｂに固定してロープを巻き掛ける固定滑車３１を有する固定滑車工具３０とにより牽引装置を構成する。【選択図】図５
2012154407.tif 000002
【特許請求の範囲】
【請求項１】
牽引対象に一端側を固定した紐状部材を巻き掛ける移動滑車と、該移動滑車の軸心を貫通して当該移動滑車を回転自在に保持する軸部材と、該軸部材の両端部に一端側がそれぞれ固設されて前記移動滑車の両側面に対面しつつ同一方向に延在する一対の第１、第２連結部材と、を備えており、
前記第１連結部材の他端側には、前記紐状部材の途中を差込可能に開口する穴部を有する一方、
前記第２連結部材の他端側には、前記第１連結部材の前記穴部に差し込んだ前記紐状部材を巻き掛ける巻掛部を有することを特徴とする牽引用工具。
【請求項２】
上記請求項１に記載の牽引用工具と、前記紐状部材と、前記牽引対象の牽引方向に固定して前記紐状部材を巻き掛ける固定滑車と、を備えることを特徴とする牽引装置。
【発明の詳細な説明】
【技術分野】
【０００１】
本発明は、牽引用工具および牽引装置に関し、詳しくは、牽引対象を小さな力で容易に牽引することのできるものに関する。
【背景技術】
【０００２】
部材間に張ったロープ（チェーンなどを含む紐状部材）のテンションを高めるための各種緊張装置が知られており、例えば、緩みを解消して保持するためのターンバックルが知られている（例えば、特許文献１）。また、この種のより簡易な緊張装置としては、そのロープをひねった状態に保持することにより緩みを解消する止め具も提案されている（例えば、特許文献２）。
【０００３】
また、この種の緊張装置としては、例えば、高所で作業をする作業者の安全を確保するために、その作業者の胴部に巻き付けたベルトに連結されている胴綱を、支柱間に張ったロープに繋げることが行われており、作業者の安全を確保するためには、そのロープを張った状態にする必要があるために各種緊張装置が提案されている（例えば、特許文献３〜５）。また、この種の緊張装置は、荷物の安定した状態を保持するために、その荷物をロープ等で締め付ける作業に使用される場合もある（例えば、特許文献６）。
【先行技術文献】
【特許文献】
【０００４】
【特許文献１】特開平１０−４７４４０号公報
【特許文献２】特開２００６−２３２２７９号公報
【特許文献３】特開平９−１５１９９７号公報
【特許文献４】特開２００６−１０５２２５号公報
【特許文献５】特開２０１０−１８３９３８号公報
【特許文献６】特開平１１−３２５１９２号公報
【発明の概要】
【発明が解決しようとする課題】
【０００５】
しかしながら、このような緊張装置にあっては、例えば、根元付近の倒したい側にチェーンソーで切り込みを入れた後に、反対側の切れ込みと同時に牽引することにより引き倒す木材の伐採作業時に使用するのには適しておらず、例えば、文献１、２に記載の緊張装置では数センチメートル単位でしか引くことができず、また、文献３〜６に記載の緊張装置ではセッティング時にある程度巻き取って緊張状態にすることからその後に十分に牽引することができず、伐採時の牽引作業には適さない。
【０００６】
また、文献３〜６に記載の緊張装置は、巻き戻りを制限する複雑な機構を備えることから重くなるとともに、噛み込み時などのメンテナンスが面倒である。また、文献４〜６に記載の緊張装置では、巻取時に利用するレバーなどの負荷発生機構が必要であるために、さらに重くなる。また、文献３に記載の緊張装置では、人手で引くだけであることから大きな力で牽引することができない、という課題もある。
【０００７】
そこで、本発明は、樹木を引き倒す伐採作業時などのように、部材間の間隔を狭めるような牽引作業を容易に小さな力で行い得る軽量で簡素な構造の牽引用工具や牽引装置を提供することを目的としている。
【課題を解決するための手段】
【０００８】
上記課題を解決する牽引用工具の発明の一態様は、牽引対象に一端側を固定した紐状部材を巻き掛ける移動滑車と、該移動滑車の軸心を貫通して当該移動滑車を回転自在に保持する軸部材と、該軸部材の両端部に一端側がそれぞれ固設されて前記移動滑車の両側面に対面しつつ同一方向に延在する一対の第１、第２連結部材と、を備えており、前記第１連結部材の他端側には、前記紐状部材の途中を差込可能に開口する穴部を有する一方、前記第２連結部材の他端側には、前記第１連結部材の前記穴部に差し込んだ前記紐状部材を巻き掛ける巻掛部を有することを特徴とするものである。
【０００９】
また、上記課題を解決する牽引装置の発明の一態様は、上記態様の牽引用工具と、前記紐状部材と、前記牽引対象の牽引方向に固定して前記紐状部材を巻き掛ける固定滑車と、を備えることを特徴とするものである。
【００１０】
この発明の態様では、牽引対象に一端側を固定した紐状部材の途中を第１連結部材の他端側の穴部内に差し込んで第２連結部材の巻掛部に巻き掛けるとともに牽引対象から離隔する方向に引いた状態にすることにより牽引用工具をその紐状部材の所望の位置に連結する。この後には、その紐状部材は、他端側から移動不能な固定部材に固定されている固定滑車に巻き掛けるとともに、その牽引用工具の移動滑車に巻き掛けることにより牽引作業の準備が完了する。そして、その紐状部材の他端部を牽引用工具の移動滑車に巻き掛ける方向、例えば、牽引対象から離隔する方向に牽引すると、動滑車の原理により紐状部材を引く２倍の力で牽引することができる。
【発明の効果】
【００１１】
このように本発明の一態様によれば、１本の紐状部材と不動位置に固定した固定滑車と共に、移動滑車を第１、第２連結部材で回転自在に支持するだけ牽引用工具を準備するだけで、紐状部材を引く牽引力の２倍の大きな力で牽引対象を引くことができる。したがって、例えば、樹木との間の間隔を狭めるように牽引して引き倒す伐採作業を簡易で軽量の牽引用工具で容易に行うことができるとともに、噛み込み時でも容易にメンテナンスをすることができる。
【図面の簡単な説明】
【００１２】
【図１】本発明に係る牽引用工具を利用する牽引装置の一実施形態を示す図であり、その牽引用工具の全体構成を示す斜視図である。
【図２】その牽引用工具の全体構成を示す図であり、（ａ）はその平面図、（ｂ）はその側面図である。
【図３】その牽引装置の概略全体構成を示す概念立面図である。
【図４】その牽引用工具の使用時の状態を示す要部拡大斜視図である。
【図５】その牽引装置の使用時の状態を示す平面図である。
【発明を実施するための形態】
【００１３】
以下、図面を参照して、本発明の実施形態について詳細に説明する。図１〜図４は本発明に係る牽引用工具を利用する牽引装置の一実施形態を示す図である。
【００１４】
図１および図２において、牽引用工具１０は、図３に示すように、例えば、伐採（牽引）対象の樹木Ｔとその樹木Ｔを引き倒す際に利用する樹木Ｂの双方に巻き掛けるのに十分な長さのロープ（紐状部材）２０と、その利用する樹木Ｂに固定してロープ２０を巻き掛ける固定滑車工具３０と一緒に準備されて牽引装置として利用するものである。なお、紐状部材は、ロープ２０に限るものではなく、チェーンなどでもよい。
【００１５】
また、牽引用工具１０は、ロープ２０を巻き掛けられて牽引する方向や力に応じて移動する移動滑車１１と、この移動滑車１１の軸心を貫通して回転自在に保持する軸部材１２と、この軸部材１２の両端部に移動滑車１１の両側から同一方向に延在するように一端側を溶接等により固設されている一対の同様な長さの連結棒部材１３、１５と、を備えて構築されている。
【００１６】
この牽引用工具１０は、樹木Ｔを引き倒して伐採する際に付与される負荷でも変形しない強度を有するように作製されており、図４に示すように、その内の一方の連結棒部材１３の移動滑車１１（軸部材１２）の反対側の他端部には、ロープ２０を屈曲させて差し込むことができる程度の大きさで開口する差込穴（穴部）１４ａを有する楕円形部１４が同様の棒状部材により一体形成される一方、他方の連結棒部材１５の移動滑車１１の反対側の他端部には、連結棒部材１３の楕円形部１４の短径を直径とする程度の小径の小円形部１６が同様の棒状部材により一体形成されている。この寸法形状により、連結棒部材１５の小円形部１６は、巻き掛けるロープ２０の負荷が加えられても、連結棒部材１３の楕円形部１４の差込穴１４ａ内に進入してしまうことがないようになっている。
【００１７】
ロープ２０は、一端側にフック２１（図５を参照）が連結されており、伐採対象の樹木Ｔに巻きかけてフック２１を自身に引っ掛けることによりその樹木Ｔに連結固定することができるようになっている。
【００１８】
固定滑車工具３０は、図５に示すように、牽引用工具１０と同様に、一対の連結棒部材３３、３５（３５は不図示）の一端側の軸部材３２に固定滑車３１が回転自在に支持されており、その連結棒部材３３、３５の他端側が伐採時に利用する樹木Ｂに巻き掛けているロープやチェーンなどの紐状部材３６に連結されることによりその樹木Ｂに連結固定されている。
【００１９】
これにより、牽引装置としては、ロープ２０と固定滑車工具３０のいずれを先に樹木Ｔ、Ｂに固定してもよく、牽引用工具１０はロープ２０や固定滑車工具３０の固定前あるいは固定後に連携させてもよく、例えば、次のような手順で図３に示すような状態にセッティングすることができる。
【００２０】
まず、位置関係を図３に示すように、伐採対象の樹木Ｔには、ロープ２０の一端側を巻き掛けてフック２１により連結固定する一方、利用する樹木Ｂには、固定滑車工具３０の連結棒部材３３、３５の他端側を紐状部材３６により連結固定した後に、その固定滑車３１にロープ２０の他端側から巻き掛けて通すとともに、続けて、牽引用工具１０の移動滑車１１にそのロープ２０の他端側を巻き掛けて通した状態にする。
【００２１】
この後に、その牽引用工具１０には、図４に示すように、伐採対象の樹木Ｔと固定滑車工具３０の間のロープ２０、好ましくは、伐採する樹木Ｔから離隔する樹木Ｂの近傍付近のロープ２０を屈曲させて連結棒部材１３の楕円形部１４の差込穴１４ａに差し込んで通した後に、その屈曲形状のロープ２０を小円形部１６に隣接する連結棒部材１５に巻き掛けた状態にしてセッティングする。すなわち、連結棒部材１５の小円形部１６の隣接部位がロープ２０を巻き掛ける巻掛部を構成している。
【００２２】
この状態では、その連結棒部材１５の小円形部１６は、ロープ２０がずれて外れることを制限するとともに、ロープ２０に引っ張られて楕円形部１４内に進入することによりそのロープ２０が外れてしまうことがないようにしている。ここで、この連結棒部材１５は、小円形部１６を省略しても同様に機能するために、楕円形部１４を横断して十分に突出する長さに形成してもよく、また、先端側をフック形状にして内部に進入しないようにしてもよい。
【００２３】
そして、この牽引装置は、図４に示すように、牽引用工具１０、ロープ２０、固定滑車工具３０のセッティング後には、図５に示すように、固定滑車工具３０の固定滑車（定滑車）３１と牽引用工具１０の移動滑車（動滑車）１１とを備える、所謂、動滑車と同様な原理により、牽引対象の樹木Ｔを２倍の牽引力で引くことができ、ロープ２０を人手で牽引する場合にも２倍の人力で牽引して樹木Ｔを引き倒して伐採することができる。
【００２４】
このように本実施形態においては、１本のロープ２０と固定滑車工具３０と共に、移動滑車１１を連結棒部材１３、１５で回転自在に支持するだけ牽引用工具１０を準備するだけで、ロープ２０を引く牽引力の２倍の大きな力で牽引することができる。したがって、例えば、樹木Ｔの伐採作業を簡易で軽量の牽引用工具１０で容易に行うことができるとともに、ロープ２０が噛み込むなどしたときでも容易にメンテナンスをすることができる。
【産業上の利用可能性】
【００２５】
これまで本発明の一実施形態について説明したが、本発明は上述の実施形態に限定されず、その技術的思想の範囲内において種々異なる形態にて実施されてよいことは言うまでもない。
【符号の説明】
【００２６】
１０……牽引用工具      １１……移動滑車      １２……軸部材      １３、１５……連結棒部材      １４……楕円形部      １４ａ……差込穴      １６……小円形部      ２０……ロープ      ２１……フック      ３０……固定滑車工具      ３１……固定滑車      Ｂ、Ｔ……樹木
【図１】
2012154407.tif 000003
【図２】
2012154407.tif 000004
【図３】
2012154407.tif 000005
【図４】
2012154407.tif 000006
【図５】
2012154407.tif 000007